(57)【要約】【課題】印字テープ及び貼付テープの消費量を抑制可能なテープ作成装置を提供する。【解決手段】テープカセット１００は、熱活性性の粘着剤が塗布された貼り合せテープ７４と、印字が行われる印字面を有する印字テープ１７と、印字テープ１７及び貼り合せテープ７４を搬送するテープ送りローラ３２を有する。テープカセット１００は、テープ印字装置１１０に着脱可能である。テープカセット１００がテープ印字装置１１０に装着された状態において、印字位置よりも前記印字テープの排出方向下流側で、前記印字テープ１７の印字面と前記貼り合せテープ７４の熱活性性の粘着剤とが接触する。また、活性化されていない状態で貼り合せテープ７４と印字テープ１７とが接触しても、印字テープ１７に貼り合せテープ７４が貼り合わされることがない。【選択図】図２８
2011101950.tif 000002
【特許請求の範囲】
【請求項１】
印字ヘッド、プラテンローラを備えたテープ作成装置において、
常温では粘着性を有さず、加熱することにより粘着性を発する熱活性性の粘着剤が塗布された貼付テープと、印字が行われる印字面を有する印字テープと、印字後の前記印字テープ及び前記貼付テープを搬送するテープ送りローラと、前記貼付テープ、前記印字テープ、及び、前記テープ送りローラを収納するカセットケース、を有するテープカセットが着脱可能であり、
前記テープカセットが装着された状態では、印字位置よりも前記印字テープの排出方向下流側で、前記印字テープの印字面と前記貼付テープの熱活性性の粘着剤とが接触し、
印字位置よりも下流側に位置し、かつ、前記貼付テープまたは前記印字テープに接触する加熱装置と、
前記加熱装置の熱状態を制御する加熱制御装置と、を有し、
前記加熱制御装置は、前記加熱装置に対し、少なくとも印字済みの印字テープが該加熱装置を通過する間、前記貼付テープの粘着剤の熱活性化に必要な熱を生じさせ、
前記加熱装置は、少なくとも印字済みの印字テープが該加熱装置を通過する間は加熱状態にあり、前記貼付テープの熱活性性の粘着剤が活性化され、前記貼付テープと前記印字済み印字テープとが貼り合わされる、
ことを特徴とするテープ作成装置。
【請求項２】
前記加熱装置よりも前記印字テープの排出方向下流側に位置する貼り合せローラを有し、
前記貼り合せローラは、前記カセットが装着された状態において、前記テープ送りローラと対向し、
前記貼り合わせローラ及び前記テープ送りローラは、前記貼付テープと前記印字済みテープとを貼り合わせる、
ことを特徴とする請求項１のテープ作成装置。
【請求項３】
前記加熱制御装置は、前記加熱装置を、前記印字済みの印字テープの後端が該加熱装置に到達したときに、非加熱状態にし、
搬送装置、切断装置をさらに有し、
前記搬送装置は、前記加熱装置が非加熱状態において、前記印字済みの印字テープを、前記印字済みの印字テープの後端が切断位置に到達するまで排出方向下流側に搬送し、
前記切断装置は、前記印字済みの印字テープの後端を、前記貼付テープとともに切断し、
前記搬送装置は、切断後の印字テープ及び前記貼付テープを、その先端が第１の所定位置に到着するまで前記排出方向とは逆方向に搬送し、
前記搬送装置は、切断後の貼付テープを、その先端が第２の所定位置まで前記排出方向とは逆方向に搬送する、
ことを特徴とする請求項１または２のテープ作成装置。
【請求項４】
先端位置検出装置をさらに有し、
前記先端位置検出装置は、前記切断後の印字テープ及び貼り付けテープの先端を検出し、
前記搬送装置は、前記切断後の印字テープ及び貼り付けテープの先端が、前記先端位置検出装置によって検出されるまで前記排出方向に搬送し、
前記切断後の印字テープ及び貼り付けテープは、その先端が前記先端位置検出装置によって検出されるまで前記排出方向に搬送されることにより、該先端の位置が特定され、
前記第１の所定の位置は、前記テープ送りサブローラよりも前記排出方向下流側に位置するガイドされたテープ搬送路の位置であり、
前記第２の所定の位置は、印字位置よりも前記排出方向下流側に位置し、かつ、前記テープ送りサブローラよりも前記排出方向上流側に位置するガイドされたテープ搬送路の位置である、
ことを特徴とする請求項３のテープ作成装置。
【請求項５】
前記印字テープの印字面の裏面側に印刷された目印を読み取る読取センサ有し、
前記読取センサは、読み取った前記目印に基いて、前記印字テープの位置を検出し、
前記貼り合わせローラと前記テープ送りローラとの離間・圧接の制御を行う第１離間圧接制御装置と、
前記印字ヘッドと前記前記プラテンローラとの離間・圧接の制御を行う第２離間圧接装置と、
前記加熱装置と位置規制装置との離間・圧接の制御を行う第３離間圧接制御装置と、を有し、
第１離間圧接装置、第２離間圧接装置、第３離間圧接制御装置は、それぞれ独立して動作し、
前記印字済みテープの後端が前記加熱装置に到達した時に、前記第３離間圧接制御装置が該加熱装置と前記位置規制装置とを離間し、
前記印字テープ及び前記貼付テープが前記逆方向に搬送されるときは、前記第２離間圧接装置及び前記第３離間圧接制御装置が前記印字ヘッドと前記プラテンローラ、及び前記加熱装置と前記位置規制装置とをそれぞれ離間し、
前記印字テープのみが前記逆方向に搬送されるときは、前記第１離間圧接装置、前記第２離間圧接装置及び前記第３離間圧接制御装置がそれぞれ前記貼り合せローラと前記テープ送りローラ、前記印字ヘッドと前記プラテンローラ、及び前記加熱装置と前記位置規制装置とを離間する、
ことを特徴とする請求項３または請求項４のテープ作成装置。
【請求項６】
前記位置規制装置は、前記テープカセットに設けられている、
ことを特徴とする請求項５のテープ作成装置。
【請求項７】
前記位置規制装置は、前記テープ作成装置に設けられている、
ことを特徴とする請求項５のテープ作成装置。
【発明の詳細な説明】
【技術分野】
【０００１】
本発明は、印字テープ、及び、該印字テープに貼り合わされる貼付テープの消費量を抑制することができるテープ作成装置に関するものである。
【背景技術】
【０００２】
印字テープの印字面を保護するために、種々の手法が提案されている。例えば、下記特許文献１においては、印字テープの印字面に粘着テープを貼り合せることにより、印字面を保護している。
【０００３】
【特許文献１】特開２００６−１８１７５０号公報
【発明の開示】
【発明が解決しようとする課題】
【０００４】
上記特許文献１に記載されるテープ印字装置では、印字機構と切断機構とが近接していないため、作成された印字テープの前端部の余白部が大きい。この余白部は、作成された印字テープにおける無駄（不必要）な部分、すなわち、不必要な消費部分である。印字テープを経済的に使用するためには、このような不必要な消費量を抑制する必要がある。
【０００５】
また、印字機構と切断機構とを近接させた場合、印字テープを印字直後に切断することができるようになるものの、その一方で、粘着テープを切断するための切断機構を別途設ける必要がある。
【０００６】
本発明は上記問題点を解消するためになされたものであり、印字テープ、及び、該印字テープに貼り合わされる貼付テープの消費量を抑制することができるテープ作成装置を提供することを目的とする。
【課題を解決するための手段】
【０００７】
請求項１に係る発明は、テープ作成装置であって、印字ヘッド、プラテンローラを備えたテープ作成装置において、常温では粘着性を有さず、加熱することにより粘着性を発する熱活性性の粘着剤が塗布された貼付テープと、印字が行われる印字面を有する印字テープと、印字後の前記印字テープ及び前記貼付テープを搬送するテープ送りローラと、前記貼付テープ、前記印字テープ、及び、前記テープ送りローラを収納するカセットケース、を有するテープカセットが着脱可能であり、前記テープカセットが装着された状態では、印字位置よりも前記印字テープの排出方向下流側で、前記印字テープの印字面と前記貼付テープの熱活性性の粘着剤とが接触し、印字位置よりも下流側に位置し、かつ、前記貼付テープまたは前記印字テープに接触する加熱装置と、前記加熱装置の熱状態を制御する加熱制御装置と、を有し、前記加熱制御装置は、前記加熱装置に対し、少なくとも印字済みの印字テープが該加熱装置を通過する間、前記貼付テープの粘着剤の熱活性化に必要な熱を生じさせ、前記加熱装置は、少なくとも印字済みの印字テープが該加熱装置を通過する間は加熱状態にあり、前記貼付テープの熱活性性の粘着剤が活性化され、前記貼付テープと前記印字済み印字テープとが貼り合わされることを特徴とする。
【０００８】
上記テープ作成装置は、粘着剤が塗布された貼付テープの粘着剤及び印字が行われる印字テープの印字面が、印字位置よりも排出方向下流側で接触する。また、貼付テープの粘着剤の熱状態を制御する。これにより、前記テープ送りサブローラは、少なくとも印字済みの印字テープが該テープ送りサブローラを通過する間は加熱状態にあり、前記貼付テープの熱活性性の粘着剤が活性化され、前記貼付テープと前記印字済み印字テープとが貼り合わせることができる。
【０００９】
請求項２に係る発明は、請求項１のテープ作成装置であって、前記加熱装置よりも前記印字テープの排出方向下流側に位置する貼り合せローラを有し、前記貼り合せローラは、前記カセットが装着された状態において、前記テープ送りローラと対向し、前記貼り合わせローラ及び前記テープ送りローラは、前記貼付テープと前記印字済みテープとを貼り合わせる特徴とする。
【００１０】
上記テープ作成装置は、貼り合せローラを加熱装置よりも印字テープの排出方向下流側に有する。すなわち、加熱装置を前記貼り合せローラとは別体として構成する。これにより、印字テープと貼付テープとを貼り合せる前段階において、貼付テープを加熱することができる。
【００１１】
請求項３に係る発明は、請求項１または請求項２のテープ作成装置であって、前記加熱制御装置は、前記加熱装置を、前記印字済みの印字テープの後端が該加熱装置に到達したときに、非加熱状態にし、搬送装置、切断装置をさらに有し、前記搬送装置は、前記加熱装置が非加熱状態において、前記印字済みの印字テープを、前記印字済みの印字テープの後端が切断位置に到達するまで排出方向下流側に搬送し、前記切断装置は、前記印字済みの印字テープの後端を、前記貼付テープとともに切断し、前記搬送装置は、切断後の印字テープ及び前記貼付テープを、その先端が第１の所定位置に到着するまで前記排出方向とは逆方向に搬送し、前記搬送装置は、切断後の貼付テープを、その先端が第２の所定位置まで前記排出方向とは逆方向に搬送することを特徴とする。
【００１２】
上記テープ作成装置は、前記テープ送りサブローラを、印字済みの印字テープの後端が前記テープ送りサブローラに到達したときに、非加熱状態にする。また、非加熱状態において、前記印字済みの印字テープを、前記印字済みの印字テープの後端が切断位置に到達するまで排出方向下流側に搬送する。切断手段は、前記印字済みの印字テープの後端を、前記貼付テープとともに切断する。さらに、切断後の印字テープ及び前記貼付テープを、その先端が第１の所定位置に到着するまで前記排出方向とは逆方向に搬送し、切断後の貼付テープを、その先端が第２の所定位置まで前記排出方向とは逆方向に搬送する。これにより、印字テープ及び貼付テープの消費量を抑制することができる。
【００１３】
請求項４に係る発明は、請求項３のテープ作成装置において、先端位置検出装置をさらに有し、前記先端位置検出装置は、前記切断後の印字テープ及び貼り付けテープの先端を検出し、前記搬送装置は、前記切断後の印字テープ及び貼り付けテープの先端が、前記先端位置検出装置によって検出されるまで前記排出方向に搬送し、前記切断後の印字テープ及び貼り付けテープは、その先端が前記先端位置検出装置によって検出されるまで前記排出方向に搬送されることにより、該先端の位置が特定され、前記第１の所定の位置は、前記テープ送りサブローラよりも前記排出方向下流側に位置するガイドされたテープ搬送路の位置であり、前記第２の所定の位置は、印字位置よりも前記排出方向下流側に位置し、かつ、前記テープ送りサブローラよりも前記排出方向上流側に位置するガイドされたテープ搬送路の位置であることを特徴とする。
【００１４】
上記テープ作成装置は、前記切断後の印字テープ及び貼り付けテープは、その先端が前記先端位置検出装置によって検出されるまで前記排出方向に搬送されることにより、該先端の位置が特定される。また、前記第１の所定の位置は、前記テープ送りサブローラよりも前記排出方向下流側に位置するガイドされたテープ搬送路の位置であり、前記第２の所定の位置は、印字位置よりも前記排出方向下流側に位置し、かつ、前記テープ送りサブローラよりも前記排出方向上流側に位置するガイドされたテープ搬送路の位置である。これにより、印字テープ及び貼付テープの逆搬送量を把握することができる。また、印字テープ及び貼付テープを確実に排出口側へ搬送することができる。
【００１５】
請求項５に係る発明は、請求項３または請求項４のテープ作成装置であって、前記印字テープの印字面の裏面側に印刷された目印を読み取る読取センサ有し、前記読取センサは、読み取った前記目印に基いて、前記印字テープの位置を検出し、前記貼り合わせローラと前記テープ送りローラとの離間・圧接の制御を行う第１離間圧接制御装置と、前記印字ヘッドと前記前記プラテンローラとの離間・圧接の制御を行う第２離間圧接装置と、前記加熱装置と位置規制装置との離間・圧接の制御を行う第３離間圧接制御装置と、を有し、第１離間圧接装置、第２離間圧接装置、第３離間圧接制御装置は、それぞれ独立して動作し、前記印字済みテープの後端が前記加熱装置に到達した時に、前記第３離間圧接制御装置が該加熱装置と前記位置規制装置とを離間し、前記印字テープ及び前記貼付テープが前記逆方向に搬送されるときは、前記第２離間圧接装置及び前記第３離間圧接制御装置が前記印字ヘッドと前記プラテンローラ、及び前記加熱装置と前記位置規制装置とをそれぞれ離間し、前記印字テープのみが前記逆方向に搬送されるときは、前記第１離間圧接装置、前記第２離間圧接装置及び前記第３離間圧接制御装置がそれぞれ前記貼り合せローラと前記テープ送りローラ、前記印字ヘッドと前記プラテンローラ、及び前記加熱装置と前記位置規制装置とを離間することする特徴とする。
【００１６】
上記テープ作成装置は、前記印字テープの印字面の裏面側に印刷された目印を読み取り前記印字テープの位置を検出する。これにより、印字テープの搬送量を認識することができる。
【００１７】
請求項６に係る発明は、請求項５のテープ作成装置であって、前記位置規制装置は、前記テープカセットに設けられていることを特徴とする。
【００１８】
上記テープ作成装置は、位置規制装置がテープカセットに設けられている。これにより、テープカセットの着脱を容易にすることができる。
【００１９】
請求項７に係る発明は、請求項５のテープ作成装置であって、前記位置規制装置は、該テープ作成装置に設けられていることを特徴とする。
【００２０】
上記テープ作成装置は、位置規制装置を有する。これにより、テープカセット側に一規制装置を有する必要がなく、テープカセットのコストダウンを図ることができる。
【発明の効果】
【００２１】
本発明によれば、印字テープ、及び、該印字テープに貼り合わされる貼付テープの消費量を抑制することができる。
【発明を実施するための最良の形態】
【００２２】
［第１実施形態］
以下、本発明を具体化した第１実施形態に基づき図面を参照しつつ詳細に説明する。
図１はテープ印字装置のカセット収納部に印字テープカセットを装着する状態を示す要部拡大斜視図である。
図２は印字テープカセット内部構成及びテープ印字装置の一部を模式的に示す平面図である。
【００２３】
（印字テープカセット）
まず、テープカセット１００について説明する。図１に示すように、テープカセット１００は、テープ印字装置１１０に設けられたカセット収納部６に着脱可能である。
【００２４】
テープカセット１００は、上ケース２と下ケース３とを有する。上ケース２は下ケース３の上面を被覆する蓋部材である。下ケース３には、印字テープスプール１８、インクリボンスプール２０、インクリボン巻取スプール２１、貼り合せテープスプール３１が配置されている（図２参照）。
【００２５】
印字テープスプール１８には、印字面が内側となるように印字テープ１７が巻回されている。印字テープ１７は、長尺状のテープである。印字テープ１７の詳細については後述する。また、印字テープスプール１８は、後述するように印字テープ１７を巻き戻すことができる。
【００２６】
インクリボンスプール２０には、インク層が内側となるようにインクリボン１９が巻回されている。インクリボン巻取スプール２１は、インクリボンスプール２０からインクリボン１９を引き出す。また、文字等の印字によって消費されたインクリボン１９を巻き取る。
【００２７】
また、印字テープスプール１８は、テープカセット１００内の中央部より若干上方に位置する（図２参照）。また、インクリボンスプール２０は、テープカセット１００内の右下部に位置する（図２参照）。インクリボン巻取スプール２１は、インクリボンスプール２０よりも印字テープ１７の搬送方向下流側に位置する（図２参照）。
【００２８】
貼り合せテープスプール３１には、粘着剤層が内側となるように貼り合せテープ７４が巻回されている。貼り合せテープ７４の詳細については後述する。また、貼り合せテープスプール３１は、後述するように貼り合せテープ７４を巻き戻すことができる。また、貼り合せテープスプールは、テープカセット１００内の左上部に位置する（図２参照）。
【００２９】
テープカセット１００には、テープ送りローラ３２が配置されている。テープ送りローラ３２は、テープ印字装置１１０のテープ送りローラ軸５５（後述）に連結する。テープ送りローラ３２は、テープカセット１００がテープ印字装置１１０に装着された状態において、テープ印字装置１１０のテープ送りサブローラ５１（後述）に対向する。
【００３０】
テープカセット１００には、テープ案内コロ３０、案内ピン４２、開口部４３が配置されている。テープ案内コロ３０、案内ピン４２、開口部４３は、印字テープ１７の搬送位置を規制する。また、テープ案内コロ３０は、テープカセット１００内の右下部に位置する（図２参照）。案内ピン４２は、テープ案内コロ３０よりも印字テープ１７の搬送方向下流側に位置する（図２参照）。
【００３１】
テープカセット１００には、規制突起部４４、規制突起部４５が配置されている。規制突起部４４及び規制突起部４５は、インクリボン１９の搬送位置を規制する。
【００３２】
テープカセット１００には、分離部材４が形成されている。分離部材４によって、インクリボン１９の搬送位置が規制される。また、分離部材４は、印字位置（後述）において貼り合された印字テープ１７とインクリボン１９とを分離させる機能をも有する。
【００３３】
テープカセット１００には、案内部材３３が配置されている。案内部材３３は、分離部材４とテープ送りローラ３２の間に位置する。案内部材３３とテープカセット１００の外枠の間に、第１案内路３４が形成される。第１案内路３４は、印字テープ１７の搬送経路を規制する。即ち、第１案内路３４は、印字テープ１７の厚み方向と幅方向への移動を規制している（特に、幅方向に関しては、テープカセット１００の上面と下面が規制している）。
【００３４】
テープカセット１００には、ヘッド挿通口４０が形成されている。ヘッド挿通口４０は、上ケース２及び下ケース３を貫通している。また、テープカセット１００がテープ印字装置１１０のカセット収納部６に収納された際に、サーマルヘッド７（後述）が挿通される。
【００３５】
テープカセット１００には、排出口１３が形成されている。印字テープ１７は、排出口１３よりテープカセット１００外に排出される。
テープカセット１００には、排出口１３周辺に、第２案内路３５が形成されている。第２案内路３５は、印字テープ１７及び貼り合せテープ７４の搬送経路を規制する。即ち、第２案内路３５は、印字テープ１７及び貼り合せテープ７４の厚み方向と幅方向への移動を規制している（特に、幅方向に関しては、テープカセット１００の上面と下面が規制している）。
【００３６】
テープカセット１００には、テープ印字装置１１０が有する種別識別センサ（後述）によって読み取られる識別部（テープカセットの種類を示す）を有する。
【００３７】
（カセット収納部）
次に、テープ印字装置１１０のカセット収納部６及びその周辺に配置される各要素について説明する。
カセット収納部６には、サーマルヘッド７が固設されている（図１及び図２参照）。サーマルヘッド７は、縦長四角形の平板状である。前面の左端縁部の辺に沿って、所定個数の発熱素子が一列に配列されて形成されている。それぞれの発熱素子は、不図示の発熱駆動制御機構によって制御される。
【００３８】
テープ印字装置１１０は、プラテンローラ８を備えている。プラテンローラ８は、プラテンホルダ８４に回転可能に支持されている。プラテンホルダ８４は、ホルダ軸４７に回動可能に支持されている。プラテンローラ８は、不図示の第１離間圧接装置によって、サーマルヘッド７との離間・圧接の制御が行われる。第１離間圧接装置は、図示しない駆動機構により駆動制御される。
プラテンローラ８は、図示しないモータの駆動に基いて回転する。プラテンローラ８の回転を駆動源として、印字前及び印字後の印字テープ１７は搬送される。また、テープ印字装置１１０には、プラテンローラ８の回転量（すなわち、テープ送りローラの回転量）を検出する不図示のエンコーダを有する。
【００３９】
また、プラテンホルダ８４には、読取センサ１１が取り付けられている。読取センサ１１は、印字テープ１７に印字されているゼブラマーク（後述）を読み取る。
【００４０】
テープ印字装置１１０は、テープ送りサブローラ５１を備えている。テープ送りサブローラ５１は、その表面に熱を発生させることができる。テープ送りサブローラ５１の熱状態は、図示しない熱制御装置によって制御される。
【００４１】
テープ送りサブローラ５１は、サブローラホルダ５４に回転可能に支持されている。サブローラホルダ５４は、サブローラ軸５２に回動可能に支持されている。なお、図１においては、サブローラホルダ５４は省略している。
また、テープ送りサブローラ５１は、サブローラ軸５２に回動可能に支持されている。テープ送りサブローラ５１は、不図示の第２離間圧接装置によって、テープ送りローラ３２との離間・圧接の制御が行われる。第２離間圧接装置は、図示しない駆動機構により駆動制御される。
【００４２】
第１離間圧接装置と第２離間圧接装置とは、独立して駆動される。すなわち、プラテンローラ８とサーマルヘッド７との離間・圧接制御、及び、テープ送りサブローラ５１とテープ送りローラ３２との離間・圧接制御は、独立して行われることになる。それぞれの離間・圧接制御の詳細については、後述する。
【００４３】
カセット収納部６には、リボン巻取軸９が配置されている。リボン巻取軸９は、上述したテープカセット１００がテープ印字装置１１０に装着された際に、インクリボン巻取スプール２１と連結する。リボン巻取軸９は、図示しない駆動機構により回転する。リボン巻取軸９が回転することにより、インクリボン１９を引き出すことができる。
【００４４】
カセット収納部６には、印字テープ巻取軸１０が配置されている。印字テープ巻取軸１０は、上述したテープカセット１００がテープ印字装置１１０に装着された際に、印字テープスプール１８と連結（係合）する。印字テープ巻取軸１０は、図示しない駆動機構により回転する。印字テープ巻取軸１０が回転することにより、印字テープを巻き戻す。
【００４５】
カセット収納部６には、貼り合せテープ軸５３が配置されている。貼り合せテープ軸５３は、上述したカセットがテープ印字装置１１０に装着された際に、貼り合せテープスプール３１と連結する。貼り合せテープ軸５３は、図示しない駆動機構により回転する。貼り合せテープ軸５３が回転することにより、貼り合せテープ７４を巻き戻すことができる。
【００４６】
カセット収納部６には、テープ送りローラ軸５５が配置されている。テープ送りローラ軸５５は、上述したテープカセット１００がテープ印字装置１１０に装着された際に、テープ送りローラ３２と連結する。テープ送りローラ軸５５は、図示しない駆動機構により回転する。テープ送りローラ軸５５が回転することにより、貼り合せテープ７４は、排出口５に向かって搬送される。また、テープ送りローラ軸５５は、上記回転とは逆方向に回転することも可能である。また、テープ印字装置１１０には、テープ送りローラ軸５５の回転量（すなわち、テープ送りローラの回転量）を検出する不図示のエンコーダを有する。
【００４７】
固定刃５７Ａ及び可動刃５７Ｂにより構成されるカッタユニット５７は、テープ送りサブローラ５１及びテープ送りローラ軸５５よりも搬送方向下流側に配置されている。可動刃５７Ｂが固定刃５７Ａに向かって移動することにより、貼り合せテープ７４及び印字済みの印字テープ１７が切断される。可動刃５７Ｂは、図示しない駆動機構により駆動制御される。
【００４８】
カセット収納部６には、発光素子５８Ａ及び受光素子５８Ｂから構成される先端部検出センサ５８が配置されている。また、先端部検出センサ５８は、フォトセンサ等の透過型センサで構成されている。発光素子５８Ａと受光素子５８Ｂは、貼り合せテープ７４及び印字テープ１７の搬送路を挟んで対向する。発光素子５８Ａと受光素子５８Ｂの間を貼り合せテープ７４及び印字テープ１７を搬送される間、発光素子５８Ａから出力された光は、受光素子５８Ｂに到達しない。この原理を用いることにより、先端部検出センサ５８は、貼り合せテープ７４及び印字テープ１７の先端を検出することができる。
【００４９】
テープ印字装置１１０には、排出口５が形成されている。排出口５は、カッタユニット５７よりも搬送方向下流側に位置している。
【００５０】
テープ印字装置１１０には、装着されたテープカセット１００の種別を識別するための種別識別センサ（不図示）を有している。
【００５１】
上述した各駆動機構、各制御装置は、図示しない駆動回路の動作に基いて駆動する。また、各駆動回路は、テープ印字装置１１０が有する不図示のプロセッサ（例えば、ＣＰＵ）によって制御される。
【００５２】
（印字テープへの印字）
次に、印字テープ１７への印字、及び、印字テープ１７の搬送について説明する。
印字テープスプール１８に巻回されている印字テープ１７は、プラテンローラ８の回転駆動により、テープ案内コロ３０、案内ピン４２、開口部４３を経てサーマルヘッド７及びプラテンローラ８に向かって搬送される。
また、インクリボンスプール２０に巻回されているインクリボン１９は、インクリボン巻取スプール２１の回転駆動により、規制突起部４４、規制突起部４５、開口部４３を経てサーマルヘッド７及びプラテンローラ８に向かって搬送される。
【００５３】
図３は印字過程における印字テープ１７及びインクリボン１９の関係を模式的に示したものである。
図３に示すように、インクリボン１９は、基材フィルム２２及びインク層２３により構成されている。また、印字テープ１７は、基材フィルム２５、粘着剤層２４、離型紙２６により構成されている。作成された印字テープ１７は、離型紙２６を剥がした状態で、粘着剤層２４の面が被着体に貼り付けられる。
【００５４】
印字テープ１７及びインクリボン１９は、サーマルヘッド７及びプラテンローラ８によって重ね合わされる。すなわち、印字テープ１７とインクリボン１９は、サーマルヘッド７及びプラテンローラ８の間で接触する。また、印字時には、サーマルヘッド７の発熱素子群が発熱駆動される。発熱素子群の発熱により、インクリボン１９の被加熱部分のインク層２３が溶解し、溶解したインク層２３が印字テープ１７に転写される。インク層２３のインクは、高融点タイプ（インクの融点が、例えば、９０℃以上のもの）を用いることができる。
【００５５】
また、離型紙２６の表面（粘着剤層２４と接していない側）には、例えば、ゼブラマークが印字されている。ゼブラマークは、上述した読取センサ１１によって読み取られる。図４は、ゼブラマークの一例を示した図である。印字テープ１７の幅方向に伸びる線（例えば、直線）が、所定間隔で印字されている。
【００５６】
該所定間隔の長さは、テープ印字装置１１０に認識されるよう構成される。例えば、装着されるテープカセットの種別によらず、該所定間隔の長さを一定（固定値）とすることができる。この場合、該固定値を予めテープカセット１００に記憶しておけばよい。また、上述した識別部（テープカセット１００）が、該所定間隔の長さの情報を含むように構成してもよい。この場合、読取センサ１１は、装着されたテープカセット１００の種類とともに、ゼブラマークの間隔の長さを検出する。
【００５７】
読取センサ１１が読み取ったゼブラマークの数に、該所定間隔の長さを掛け合わせることにより、印字テープ１７の搬送量を算出することができる。
【００５８】
ゼブラマークの色は、例えば、黒とすることができる。なお、読取センサ１１によって読み取ることができる色であれば、どのような色でもよい。また、ゼブラマークが印字される離型紙２６は、上述したとおり被着体への貼り付け時に剥がされる。
【００５９】
印字が行われた後、インクリボン１９は、分離部材４を経てインクリボン巻取スプール２１に巻き取られる。このとき、印字済みの印字テープ１７とインクリボン１９とは分離される。また、印字済みの印字テープ１７は、第１案内路３４を経て、テープ送りローラ３２及びテープ送りサブローラ５１の位置まで搬送される。
【００６０】
印字済み印字テープ１７は、テープ送りローラ３２及びテープ送りサブローラ５１の間を通過するとき、該印字済み印字テープ１７の印字面には、貼り合せテープ７４が貼り合わされる。印字済み印字テープ１７に貼り合せテープ７４が貼り合わされるメカニズムについては後述する。
【００６１】
作成された印字済みの印字テープ１７は、テープ送りローラ３２及びテープ送りサブローラ５１の回転駆動により、第２案内路３５を経て排出口５まで搬送される。第１案内路３４では印字済み印字テープ１７が幅方向に規制され、第２案内路３５では印字済み印字テープ１７及び貼り合せテープ７４が幅方向に規制されることにより、印字済み印字テープ１７及び貼り合せテープ７４は互いに幅方向にずれることなく貼り合わされることとなる。
また、印字済みの印字テープ１７は、所望の位置でカッタユニット５７により切断される。
【００６２】
（印字テープへの貼り合せ）
図５は、加熱状態にあるテープ送りサブローラ５１と印字済みの印字テープ１７及び貼り合せテープ７４との関係を模式的に示したものである。
図５に示すように、貼り合せテープ７４は、粘着剤層２７及びフィルム２８により構成される。フィルム２８として、インク層（すなわち、印字内容）が視認できるものが用いられる。例えば、ＰＥＴフィルム、ポリエチレン（ＰＥ）フィルム、ポリプロピレン（ＰＰ）フィルムを用いることができる。
【００６３】
また、フィルム２８は、半透明であってもよい。例えば、曇りガラス状のフィルム（ＭＡＴＴフィルム）を用いてもよい。また、有色のフィルムでもよい。また、幅方向の両端部に、花柄、キャラクター等が印字されているものを用いてもよい。
【００６４】
粘着剤層２７の粘着剤は、常温では粘着性を有しておらず、加熱されることにより粘着性を有する（活性化する）。すなわち、該粘着剤は、熱活性性である（このような性質を有する粘着剤は、例えば、特許３３９４５７２号に開示されている。）。また、粘着性を有すると、その後温度が低下しても暫く粘着性を保持する（このような性質を有する粘着剤は、例えば、特開２００２−２６５８９５号に開示されている）。本実施形態では市販の一般的な熱活性性の粘着剤を使用しており、その時間は５分程度となっている。なお、粘着剤の粘着性が発現している間に粘着した貼り合せテープ７４と印字テープ１７とは、粘着剤の粘着性が消滅した後も接着状態は維持している。粘着性が消滅した粘着剤を備えた貼り合せテープ７４は新たな被着体と粘着することができないだけである。
また、粘着性を有するための温度（活性温度）は、８０℃とすることができる。この温度は、上述したインクの融解温度よりも低い。
【００６５】
また、粘着剤層２７の粘着剤は、活性化した状態において透明である。これにより、フィルム２８及び粘着剤層２７を通して、印字内容（すなわち、インク層２３）が視認できる。なお、粘着剤層２７の粘着剤は、活性化していない状態においては、透明でなくてもよい。
【００６６】
テープ送りサブローラ５１が加熱されると、その熱は、印字テープ１７を通じて粘着剤層２７に伝わることになる。
そして、粘着剤層２７の温度が８０℃（すなわち、活性温度）に達すると、粘着性を有する。ただし、フィルム２８の温度が９０℃（すなわち、融解温度）に達しないようテープ送りサブローラ５１は熱制御される。
【００６７】
これにより、テープ送りサブローラ５１及びテープ送りローラ３２で接触した印字テープ１７及び貼り合せテープ７４は、貼り合わされることになる。貼り合わされた印字済みの印字テープ１７は、カッタユニット５７まで搬送され、所定の位置で切断される。
【００６８】
図６は、非加熱状態にあるテープ送りサブローラ５１と印字済みの印字テープ１７及び貼り合せテープ７４との関係を模式的に示したものである。
図６においては、粘着剤層２７は非活性状態にあるから、印字テープ１７及び貼り合せテープ７４が接触したとしても、印字テープ１７に貼り合せテープ７４が貼り合わされることはない。
【００６９】
（印字テープ及び貼り合せテープの搬送制御）
次に、印字テープ１７及び貼り合せテープ７４の搬送制御について説明する。
図７乃至図９は、搬送制御処理のフローチャートである。搬送制御処理は、テープ印字装置１１０が有するプロセッサ（不図示）によって実行される。搬送制御処理は、印字制御の指令信号が出力されることにより実行が開始される。
図１０乃至図２３は、貼り合せテープ７４、インク層２３、印字テープ１７の搬送の様子を示した図である。
【００７０】
Ｓ１において、プラテンローラ８を原点位置に移動させる。プラテンローラ８をサーマルヘッド７側に移動させることにより、印字テープ１７を先端部検出センサ５８側に搬送可能な状態にする。
Ｓ２において、テープ送りサブローラ５１を原点位置に移動させる。テープ送りサブローラ５１をテープ送りローラ３２側に移動させることにより、貼り合せテープ７４及び印字テープ１７を先端部検出センサ５８側に搬送可能な状態にする。
【００７１】
図１０は、プラテンローラ８及びテープ送りサブローラ５１が、原点位置に位置している様子を示している。また、印字テープ１７及び貼り合せテープ７４の先端は、カッタユニット５７の近傍に位置している。
【００７２】
Ｓ３において、印字テープ１７及び貼り合せテープ７４を先端部検出センサ５８側に向かって搬送させる。この搬送の動力源は、テープ送りローラ３２、テープ送りサブローラ５１である。
【００７３】
Ｓ４において、先端部検出センサ５８が印字テープ１７及び貼り合せテープ７４の先端を検出したか否かを判断する。具体的には、発光素子５８Ａからの光が遮られたことを検知したときに、上記テープの先端を検出したと判断する。
【００７４】
テープの先端を検出していないと判断した場合は（Ｓ４：ＮＯ）、Ｓ３に戻る。これにより、テープの先端が検出されるまでの間、印字テープ１７及び貼り合せテープ７４の搬送動作が継続して行われることになる。
【００７５】
一方、テープの先端を検出したと判断した場合は（Ｓ４：ＹＥＳ）、Ｓ５に移行する。
Ｓ５において、印字テープ１７及び貼り合せテープ７４の搬送を停止する。
Ｓ６において、プラテンローラ８をサーマルヘッド７から離間させる。これにより、印字テープ１７の逆搬送が可能となる。
図１１は、印字テープ１７及び貼り合せテープ７４の先端が先端部検出センサ５８の位置に到達し、かつ、プラテンローラ８がサーマルヘッド７から離間した様子を示している。
【００７６】
Ｓ７において、印字テープ１７及び貼り合せテープ７４を逆搬送させる。すなわち、先端部検出センサ５８とは反対側に向かって搬送させる。これにより、印字テープ１７は、印字テープスプール１８に巻き戻される。また、貼り合せテープ７４は、貼り合せテープスプール３１に巻き戻される。
【００７７】
この逆搬送の動力源は、印字テープスプール１８、貼り合せテープスプール３１である。また、テープ送りローラ３２及びテープ送りサブローラ５１の回転を動力源として併用してもよい。なお、テープ送りローラ３２及びテープ送りサブローラ５１を動力源として用いない場合であっても、上記貼り合せテープ７４の逆搬送に伴って、テープ送りローラ３２は回転する。そして、テープ送りローラ３２の回転量は、貼り合せテープ７４の搬送量と比例関係にある。
【００７８】
Ｓ８において、貼り合せテープ７４の先端が第１所定位置に到達したか否かを判断する。ここで、第１所定位置とは、第２案内路３５における所定の位置である。また、貼り合せテープ７４の先端が第１所定位置に到達したか否かの判断は、テープ送りローラ３２の回転量に基いて算出された逆搬送量に基いて行われる。
【００７９】
貼り合せテープ７４の先端が第１所定位置に到達していないと判断した場合は（Ｓ８：ＮＯ）、Ｓ７に戻る。これにより、貼り合せテープ７４の先端が第１所定位置に到達するまでの間、貼り合せテープ７４及び印字テープ１７の逆搬送動作が継続して行われることになる。
【００８０】
一方、貼り合せテープ７４の先端が第１所定位置に到達したと判断した場合は（Ｓ８：ＹＥＳ）、Ｓ９に移行する。
Ｓ９において、貼り合せテープ７４及び印字テープ１７の逆搬送を停止する。また、テープ送りサブローラ５１を、テープ送りローラ３２から離間させる。
図１２は、貼り合せテープ７４及び印字テープ１７の先端が第１所定位置に到達し、かつ、テープ送りサブローラ５１がテープ送りローラ３２から離間している様子を示している。
【００８１】
貼り合せテープ７４の無駄をできるだけ少なくするという観点においては、貼り合せテープ７４の先端を、できるだけテープ送りローラ３２及びテープ送りサブローラ５１（以下、「搬送ローラ対」ということがある。）に接近させた方が望ましい。
図１３は、貼り合せテープ７４及び印字テープ１７の先端が、搬送ローラ対に接近している様子を示している。
図１３の状態においては、貼り合せテープ７４を排出口５に向かって搬送させる場合に、貼り合せテープ７４の搬送が正しく行われない可能性がある（図１４参照）。
そのため、本実施形態においては、貼り合せテープ７４の逆搬送を、貼り合せテープ７４の先端が第１所定位置に到達した時点で停止させている。
【００８２】
説明を図７に戻す。Ｓ９の処理が終了したあと、Ｓ１０（図８）に移行する。
Ｓ１０において、印字テープ１７のみを逆搬送させる。すなわち、先端部検出センサ５８とは反対側に向かって搬送させる。これにより、印字テープ１７は、印字テープスプール１８に巻き戻される。この逆搬送の動力源は、印字テープスプール１８である。
【００８３】
Ｓ１１において、印字テープ１７の先端が第２所定位置に到達したか否かを判断する。ここで、第２所定位置は、第１案内路３４における所定の位置である。また、印字テープ１７の先端が第２所定位置に到達したか否かの判断は、読取センサによって読み取られたゼブラマークの数に基いて算出される印字テープ１７の搬送量に基いて行われる。
【００８４】
印字テープ１７の先端が第２所定位置に到達していないと判断した場合は（Ｓ１１：ＮＯ）、Ｓ１０に戻る。これにより、印字テープ１７の先端が第２所定位置に到達するまでの間、印字テープ１７の逆搬送動作が継続して行われることになる。
【００８５】
一方、印字テープ１７の先端が第２所定位置に到達したと判断した場合は（Ｓ１１：ＹＥＳ）、Ｓ１２に移行する。
Ｓ１２において、印字テープ１７の逆搬送を停止する。
図１５は、印字テープ１７の先端が第２所定位置に到達している状態を示している。
【００８６】
作成した印字テープ１７の前余白をできるだけ少なくするという観点においては、印字テープ１７の先端を、できるだけプラテンローラ８に接近させたほうが望ましい。
図１６は、印字テープ１７の先端が、プラテンローラ８に接近している状態を示している。
図１６に示す状態においては、印字テープ１７を先端部検出センサ５８側に向かって搬送させた場合に、印字テープ１７の搬送が正しく行われない可能性がある（図１７参照）。
そのため、本実施形態においては、印字テープ１７の逆搬送を、印字テープ１７の先端が第２所定位置に到達した時点で停止させている。
【００８７】
説明を図８に戻す。Ｓ１３において、プラテンローラ８を原点位置に移動させる。また、テープ送りサブローラ５１を原点位置に移動させる。
Ｓ１４において、印字テープ１７に対し印字動作を行うとともに、搬送ローラ対に向かって搬送させる。この搬送の動力源は、プラテンローラ８である。
図１８は、印字テープ１７に対し印字を行いつつ、印字テープ１７を搬送している様子を示している。
【００８８】
Ｓ１５において、印字テープ１７の先端が搬送ローラ対の位置に到達したか否かを判断する。この判断は、プラテンローラ８の回転数に基いて算出した印字テープ１７の搬送量に基いて行われる。
【００８９】
印字済みの印字テープ１７の先端が搬送ローラ対の位置に到達していないと判断した場合は（Ｓ１５：ＮＯ）、Ｓ１４に戻る。これにより、印字済みの印字テープ１７の先端が搬送ローラ対に到着するまでの間、印字テープ１７に対する印字動作及び搬送動作が継続して行われることになる。
【００９０】
印字済みの印字テープ１７の先端が搬送ローラ対に到達したと判断した場合は（Ｓ１５：ＹＥＳ）、Ｓ１６に進む。
図１９は、印字済みの印字テープ１７の先端が搬送ローラ対に到達した様子を示している。
【００９１】
Ｓ１６において、印字テープ１７の搬送を停止する。また、テープ送りサブローラ５１を加熱する。このとき、テープ送りサブローラ５１の表面が、貼り合せテープ７４の粘着剤層を活性化させるために必要な熱量を有するまで待機する。
【００９２】
Ｓ１７において、印字動作を行うとともに、印字テープ１７及び貼り合せテープ７４をカッタユニット５７側に向かって搬送させる。この搬送の動力源は、プラテンローラ８及び搬送ローラ対である。
図２０は、印字テープ１７及び貼り合せテープ７４がカッタユニット５７側に向かって搬送されている様子を示している。また、印字テープ１７及び貼り合せテープ７４が搬送ローラ対を通過するとき、印字テープ１７には、貼り合せテープ７４が貼り合わされる（図５参照）。
【００９３】
Ｓ１８において、貼り合せテープ７４が、切断位置に到達したか否かを判断する。この判断は、プラテンローラ８の回転数に基いて算出した印字テープ１７の搬送量に基いて行われる。また、テープ送りローラ３２及び／またはテープ送りサブローラ５１の回転量を併用して印字テープの搬送量を算出してもよい。
【００９４】
この切断位置において、貼り合せテープ７４を切断することにより、作成済みの印字テープ１７における不必要な部分（すなわち、貼り合せテープ７４のみが先行している部分）が除去される。この切断位置は、図２０に示されている。
【００９５】
貼り合せテープ７４が切断位置に到達していないと判断した場合は（Ｓ１８：ＮＯ）、Ｓ１７に戻る。これにより、貼り合せテープ７４の先端が切断位置に到着するまでの間、印字テープ１７への印字動作、及び、印字テープ１７及び貼り合せテープ７４の搬送動作が継続して行われることになる。
【００９６】
Ｓ１８において、貼り合せテープ７４が切断位置に到達したと判断した場合は（Ｓ１８：ＹＥＳ）、Ｓ１９（図９）に進む。
Ｓ１９において、印字テープ１７及び貼り合せテープ７４の搬送を停止する。
Ｓ２０において、貼り合せテープ７４を切断する。このとき、可動刃５７Ｂが駆動する。
図２１は、貼り合せテープ７４の先端部分が切断された様子を示している。
【００９７】
Ｓ２１において、印字テープ１７に対して印字処理を行うとともに、印字テープ１７及び貼り合せテープ７４をカッタユニット５７側に向かって搬送させる。この搬送の動力源は、プラテンローラ及び搬送ローラ対である。
Ｓ２３において、印字が終了したか否かが判断される。印字が終了するまで、Ｓ２２の処理（すなわち、印字処理及び搬送動作）が繰り返されることになる。
【００９８】
印字が終了したと判断した場合は（Ｓ２２：ＹＥＳ）、Ｓ２３に移行する。
Ｓ２３において、印字テープ１７及び貼り合せテープ７４をカッタユニット５７側に向かって搬送させる。この搬送の動力源は、プラテンローラ８及び搬送ローラ対である。
Ｓ２４において、印字テープ１７の後端が搬送ローラ対の位置に到達したか否かを判断する。この判断は、プラテンローラ８の回転数に基いて算出した印字テープ１７の搬送量に基いて行われる。また、テープ送りローラ３２及び／またはテープ送りサブローラ５１の回転量を併用して印字テープの搬送量を算出してもよい。
【００９９】
印字テープ１７の後端が搬送ローラ対の位置に到達していないと判断した場合は（Ｓ２４：ＮＯ）、Ｓ２３に戻る。これにより、印字テープ１７の後端が搬送ローラ対に到着するまでの間、印字テープ１７及び貼り合せテープ７４の搬送動作が継続して行われることになる。
【０１００】
印字テープ１７の後端が搬送ローラ対の位置に到達したと判断した場合は（Ｓ２４：ＹＥＳ）、Ｓ２５に移行する。
図２２は、印字テープ１７の後端が搬送ローラ対の位置に到達した様子を示している。
【０１０１】
Ｓ２５において、テープ送りサブローラを非加熱にする。また、テープ送りサブローラ５１の表面が、貼り合せテープ７４の粘着剤層が活性化しない温度まで低下するまで待機する。ここでの待機時間は、予め計測された時間としてもよく、また、不図示の温度センサによって制御してもよい。また、テープ送りサブローラ５１の表面の温度を低下させるためにファンを用いてもよい。
【０１０２】
Ｓ２６において、印字テープ１７及び貼り合せテープ７４をカッタユニット５７側に向かって搬送させる。この搬送の動力源は、プラテンローラ及び搬送ローラ対である。また、印字テープ１７及び貼り合せテープ７４が搬送ローラ対を通過するときに両テープは接触するが、テープ送りサブローラは非加熱状態にあるので、印字テープ１７に貼り合せテープ７４が貼り合わされることはない（図６参照）。
【０１０３】
Ｓ２７において、印字テープ１７の後端が切断位置に到達したか否かを判断する。この判断は、プラテンローラ８の回転数に基いて算出した印字テープ１７の搬送量に基いて行われる。また、テープ送りローラ３２及び／またはテープ送りサブローラ５１の回転量を併用して印字テープの搬送量を算出してもよい。
【０１０４】
印字テープ１７の後端が切断位置に到達していないと判断した場合は（Ｓ２７：ＮＯ）、Ｓ２６に戻る。これにより、印字テープ１７の後端が切断位置に到着するまでの間、印字テープ１７及び貼り合せテープ７４の搬送動作が継続して行われることになる。
【０１０５】
印字テープ１７の後端が切断位置に到達したと判断した場合は（Ｓ２７：ＹＥＳ）、Ｓ２８に移行する。
Ｓ２８において、印字テープ１７及び貼り合せテープ７４の搬送を停止する。また、印字テープ１７及び貼り合せテープ７４を切断する。このとき、可動刃５７Ｂが駆動する。
図２３は、印字済みの印字テープ１７が切断された様子を示している。
【０１０６】
以上説明した第１実施形態によれば、カッタユニット５７の近傍に位置する印字テープ１７及び貼り合せテープ７４を所定量巻き戻し、その後印字処理を開始するので、貼り合せテープ７４及び印字テープ１７の前余白部分を少なくすることができる。また、貼り合せテープ７４は第２案内路３５まで巻き戻され、また、印字テープ１７は第１案内路３４まで巻き戻されるので、その後の搬送動作を確実に行うことができる。また、貼り合せテープ７４の粘着剤層２７の熱状態を制御することにより、貼り合せテープ７４の粘着性を制御することができ、搬送ローラ対において接触する印字テープ１７及び貼り合せテープ７４の貼り合せ制御を行うことができる。また、１つのカッタユニットで本発明を実現することができる。
【０１０７】
なお、上述した第１実施形態において、作成される印字テープ１７の前余白部分の一部を切断するよう構成してもよい。
【０１０８】
［第２実施形態］
次に、本発明の第２実施形態について説明する。第２実施形態のテープカセット２００には、上述した第１実施形態のテープ送りローラ３２に代えてテープ送りローラ６２が配置されている。また、第２実施形態のテープ印字装置２１０には、上述した第１実施形態のテープ送りローラ軸５５に代えてテープ送りローラ軸６５が配置されている。また、第２実施形態のテープ印字装置２１０には、上述した第１実施形態のテープ送りサブローラ５１に代えてテープ送りサブローラ６１が配置されている。
【０１０９】
第２実施形態では、テープ送りローラ６２の表面が加熱されることにより、粘着剤層２７の粘着剤が活性化する。また、テープ送りサブローラ６１は、その表面に熱を発生しない。
【０１１０】
図２４はテープ印字装置のカセット収納部に印字テープカセットを装着する状態を示す要部拡大斜視図である。
図２５は印字テープカセット内部構成及びテープ印字装置の一部を模式的に示す平面図である。
【０１１１】
テープ送りサブローラ６１、テープ送りローラ６２、テープ送りローラ軸６５以外の要素は、上述した第１実施形態と同じであるので説明を省略する。
テープ送りローラ軸６５は、テープカセット２００がカセット収納部に装着された場合に、テープ送りローラ６２と連結する。
【０１１２】
テープ送りローラ軸６５の表面（テープ送りローラ６２との接触面）の一部または全部は、導電体で形成されている。テープ印字装置２１０が有する所定の供給源から供給された電流（電圧）が、テープ送りローラ軸６５の導電体に供給される。また、テープ送りローラ軸６５は、図示しない駆動機構により回転する。
【０１１３】
テープ送りローラ６２の軸穴には、導電体が形成されている。この導電体は、テープ送りローラ軸６５の導電体と接触する。これにより、テープ印字装置２１０が有する所定の供給源から供給された電流（電圧）が、テープ送りローラ６２に伝わる。そして、テープ送りローラ６２の表面は、供給電流によって加熱される。また、テープ送りローラ６２の表面が加熱されることにより、該テープ送りローラ６２に接触する貼り合せテープ７４の粘着剤層２７に粘着性が発生する。
【０１１４】
図２６は、加熱状態にあるテープ送りローラ６２と印字済みの印字テープ１７及び貼り合せテープ７４との関係を模式的に示したものである。
印字テープ１７及び貼り合せテープ７４の構成は、上述した第１実施形態と同じであるので説明を省略する。
【０１１５】
テープ送りローラ６２が加熱されると、その熱は、粘着剤層２７に伝わることになる。そして、粘着剤層２７の温度が８０℃（すなわち、活性温度）に達すると、粘着性を有する。ただし、フィルム２８の温度が９０℃（すなわち、融解温度）に達しないようテープ送りローラ６２は熱制御される。これにより、テープ送りローラ６２及びテープ送りサブローラ６１で接触した印字テープ１７及び貼り合せテープ７４は、貼り合わされることになる。
【０１１６】
図２７は、非加熱状態にあるテープ送りローラ６２と印字済みの印字テープ１７及び貼り合せテープ７４との関係を模式的に示したものである。
図２７においては、粘着剤層２７は非活性状態にあるから、印字テープ１７及び貼り合せテープ７４が接触したとしても、印字テープ１７に貼り合せテープ７４が貼り合わされることはない。
【０１１７】
（印字テープ及び貼り合せテープの搬送制御）
次に、印字テープ１７及び貼り合せテープ７４の搬送制御について説明する。第２実施形態における搬送制御は、加熱／非加熱の制御対象がテープ送りローラ６２である点を除いて、上述した第１実施形態における搬送制御と基本的には同じである。
【０１１８】
すなわち、図８のＳ１６、及び、図９のＳ２５以外の処理は、上述した図７乃至図９に示したフローチャートと同じ処理を行う。
そして、第２実施形態においては、図８のＳ１６の「テープ送りサブローラを加熱」する処理に代えて、「テープ送りローラ６２を加熱」する処理が行なわれる。また、図９のＳ２５の「テープ送りサブローラを非加熱にする」処理に代えて、「テープ送りローラ６２を非加熱にする」処理が行われる。
【０１１９】
以上説明した第２実施形態によれば、カッタユニット５７近傍に位置する印字テープ１７及び貼り合せテープ７４を所定量巻き戻し、その後印字処理を開始するので、貼り合せテープ７４及び印字テープ１７の前余白部分を少なくすることができる。また、貼り合せテープ７４は第２案内路３５まで巻き戻され、また、印字テープ１７は第１案内路３４まで巻き戻されるので、その後の搬送動作を確実に行うことができる。また、貼り合せテープ７４の粘着剤層２７の熱状態を制御することにより、貼り合せテープ７４の粘着性を制御することができ、搬送ローラ対において接触する印字テープ１７及び貼り合せテープ７４の貼り合せ制御を行うことができる。また、１つのカッタユニットで本発明を実現することができる。
【０１２０】
［第３実施形態］
次に、第３実施形態について説明する。上述した第１実施形態及び第２実施形態においては、それぞれ、テープ送りサブローラ、テープ送りローラが、粘着剤層２７の粘着剤を活性化させるための加熱装置を兼ねていた。本実施形態においては、粘着剤層２７の粘着剤を活性化させるための各加熱装置を上記ローラとは別体として備えている。
【０１２１】
第３実施形態では、上述した第１実施形態のテープ送りサブローラ５１に代えてテープ送りサブローラ６６が配置されている。テープ送りサブローラ６６は、その表面に熱を発生しない。
【０１２２】
図２８は印字テープカセット内部構成及びテープ印字装置の一部を模式的に示す平面図である。上述した第１実施形態と同じ部材については、同じ番号を付している。また、該同じ部材については、説明を省略する。
【０１２３】
第３実施形態のテープカセットは、案内部材３７を有する。案内部材３７は、貼り合せテープ７４の搬送位置を規制する。
第３実施形態のテープカセットは、位置止め部材３９を有する。
【０１２４】
第３実施形態のテープ印字装置は、ヒータ５９を有する。ヒータ５９は、テープカセットがテープ印字装置に装着された状態において、位置止め部材３９に対向する。ヒータ５９は、その表面に熱を発生させることができる。ヒータ５９の熱状態は、図示しない熱制御装置によって制御される。
【０１２５】
テープカセットの位置止め部材３９の材質は、ヒータ５９の熱に耐えるために、難燃性の樹脂、金属等にすることが望ましい。また、テープカセットには、ヒータ５９を挿入する開口部が設けられている。なお、図２８では、開口部を点線で囲っている。
【０１２６】
ヒータ５９は、不図示の第３離間圧接制御装置によって、位置止め部材３９との離間・圧接制御が行われる。第３離間圧接制御手段は、図示しない駆動機構により駆動制御される。
【０１２７】
第１離間圧接装置、第２離間圧接装置、第３離間圧接手段は、それぞれ、独立して駆動される。すなわち、プラテンローラ８とサーマルヘッド７との離間・圧接制御、テープ送りサブローラ５１とテープ送りローラ３２との離間・圧接制御、ヒータ５９と位置止め部材３９との離間・圧接制御は、独立して行われることになる。それぞれの離間・圧接制御の詳細については、後述する。
【０１２８】
図２９は、加熱状態にあるヒータ５９と印字済みの印字テープ１７及び貼り合せテープ７４との関係を模式的に示したものである。
印字テープ１７及び貼り合せテープ７４の構成は、上述した第１実施形態と同じであるので説明を省略する。
【０１２９】
ヒータ５９が加熱されると、その熱は、粘着剤層２７に伝わることになる。そして、粘着剤層２７の温度が８０℃（すなわち、活性温度）に達すると、粘着性を有する。これにより、テープ送りローラ３２及びテープ送りサブローラ６６で接触した印字テープ１７及び貼り合せテープ７４は、貼り合わされることになる。
【０１３０】
図３０は、非加熱状態にあるヒータ５９と印字済みの印字テープ１７及び貼り合せテープ７４との関係を模式的に示したものである。
図３０においては、ヒータ５９と接触しておらず、粘着剤層２７は非活性状態にあるから、印字テープ１７及び貼り合せテープ７４が接触したとしても、印字テープ１７に貼り合せテープ７４が貼り合わされることはない。
【０１３１】
（印字テープ及び貼り合せテープの搬送制御）
次に、印字テープ１７及び貼り合せテープ７４の搬送制御について説明する。
図３１乃至図３３は、搬送制御処理のフローチャートである。搬送制御処理は、テープ印字装置１１０が有するプロセッサ（不図示）によって実行される。搬送制御処理は、印字制御の指令信号が出力されることにより実行が開始される。
図３４乃至図４７は、貼り合せテープ７４、インク層２３、印字テープ１７の搬送の様子を示した図である。なお、図３４乃至図４７においては、説明の便宜上、開口部に係る図示を省略している。
【０１３２】
Ｓ３１において、プラテンローラ８を原点位置に移動させる。プラテンローラ８をサーマルヘッド７側に移動させることにより、印字テープ１７を先端部検出センサ５８側に搬送可能な状態にする。
Ｓ３２において、テープ送りサブローラ６６を原点位置に移動させる。テープ送りサブローラ６６をテープ送りローラ３２側に移動させることにより、貼り合せテープ７４及び印字テープ１７を先端部検出センサ５８側に搬送可能な状態にする。
【０１３３】
図３４は、プラテンローラ８及びテープ送りサブローラ６６が、原点位置に位置している様子を示している。また、印字テープ１７及び貼り合せテープ７４の先端は、カッタユニット５７の近傍に位置している。
【０１３４】
Ｓ３３において、印字テープ１７及び貼り合せテープ７４を先端部検出センサ５８側に向かって搬送させる。この搬送の動力源は、テープ送りローラ３２、テープ送りサブローラ６６である。
【０１３５】
Ｓ３４において、先端部検出センサ５８が印字テープ１７及び貼り合せテープ７４の先端を検出したか否かを判断する。具体的には、発光素子５８Ａからの光が遮られたことを検知したときに、上記テープの先端を検出したと判断する。
【０１３６】
テープの先端を検出していないと判断した場合は（Ｓ３４：ＮＯ）、Ｓ３３に戻る。これにより、テープの先端が検出されるまでの間、印字テープ１７及び貼り合せテープ７４の搬送動作が継続して行われることになる。
【０１３７】
一方、テープの先端を検出したと判断した場合は（Ｓ３４：ＹＥＳ）、Ｓ３５に移行する。
Ｓ３５において、印字テープ１７及び貼り合せテープ７４の搬送を停止する。
Ｓ３６において、プラテンローラ８をサーマルヘッド７から離間させる。これにより、印字テープ１７の逆搬送が可能となる。
図３５は、印字テープ１７及び貼り合せテープ７４の先端が先端部検出センサ５８の位置に到達し、かつ、プラテンローラ８がサーマルヘッド７から離間した様子を示している。
【０１３８】
Ｓ３７において、印字テープ１７及び貼り合せテープ７４を逆搬送させる。すなわち、先端部検出センサ５８とは反対側に向かって搬送させる。これにより、印字テープ１７は、印字テープスプール１８に巻き戻される。また、貼り合せテープ７４は、貼り合せテープスプール３１に巻き戻される。
【０１３９】
この逆搬送の動力源は、印字テープスプール１８、貼り合せテープスプール３１である。また、テープ送りローラ３２及びテープ送りサブローラ６６の回転を動力源として併用してもよい。なお、テープ送りローラ３２及びテープ送りサブローラ６６を動力源として用いない場合であっても、上記貼り合せテープ７４の逆搬送に伴って、テープ送りローラ３２は回転する。そして、テープ送りローラ３２の回転量は、貼り合せテープ７４の搬送量と比例関係にある。
【０１４０】
Ｓ３８において、貼り合せテープ７４の先端が第１所定位置に到達したか否かを判断する。ここで、第１所定位置とは、第２案内路３５における所定の位置である。また、貼り合せテープ７４の先端が第１所定位置に到達したか否かの判断は、テープ送りローラ３２の回転量に基いて算出された逆搬送量に基いて行われる。
【０１４１】
貼り合せテープ７４の先端が第１所定位置に到達していないと判断した場合は（Ｓ３８：ＮＯ）、Ｓ３７に戻る。これにより、貼り合せテープ７４の先端が第１所定位置に到達するまでの間、貼り合せテープ７４及び印字テープ１７の逆搬送動作が継続して行われることになる。
【０１４２】
一方、貼り合せテープ７４の先端が第１所定位置に到達したと判断した場合は（Ｓ３８：ＹＥＳ）、Ｓ３９に移行する。
Ｓ３９において、貼り合せテープ７４及び印字テープ１７の逆搬送を停止する。また、テープ送りサブローラ６６を、テープ送りローラ３２から離間させる。
図３６は、貼り合せテープ７４及び印字テープ１７の先端が第１所定位置に到達し、かつ、テープ送りサブローラ６６がテープ送りローラ３２から離間している様子を示している。
【０１４３】
貼り合せテープ７４の無駄をできるだけ少なくするという観点においては、貼り合せテープ７４の先端を、できるだけテープ送りローラ３２及びテープ送りサブローラ６６（以下、「搬送ローラ対」ということがある。）に接近させた方が望ましい。
図３７は、貼り合せテープ７４及び印字テープ１７の先端が、搬送ローラ対に接近している様子を示している。
図３７の状態においては、貼り合せテープ７４を排出口５に向かって搬送させる場合に、貼り合せテープ７４の搬送が正しく行われない可能性がある（図３８参照）。
そのため、本実施形態においては、貼り合せテープ７４の逆搬送を、貼り合せテープ７４の先端が第１所定位置に到達した時点で停止させている。
【０１４４】
説明を図３１に戻す。Ｓ３９の処理が終了したあと、Ｓ４０（図３２）に移行する。
Ｓ４０において、印字テープ１７のみを逆搬送させる。すなわち、先端部検出センサ５８とは反対側に向かって搬送させる。これにより、印字テープ１７は、印字テープスプール１８に巻き戻される。この逆搬送の動力源は、印字テープスプール１８である。
【０１４５】
Ｓ４１において、印字テープ１７の先端が第２所定位置に到達したか否かを判断する。ここで、第２所定位置は、第１案内路３４における所定の位置である。また、印字テープ１７の先端が第２所定位置に到達したか否かの判断は、読取センサによって読み取られたゼブラマークの数に基いて算出される印字テープ１７の搬送量に基いて行われる。
【０１４６】
印字テープ１７の先端が第２所定位置に到達していないと判断した場合は（Ｓ４１：ＮＯ）、Ｓ４０に戻る。これにより、印字テープ１７の先端が第２所定位置に到達するまでの間、印字テープ１７の逆搬送動作が継続して行われることになる。
【０１４７】
一方、印字テープ１７の先端が第２所定位置に到達したと判断した場合は（Ｓ４１：ＹＥＳ）、Ｓ４２に移行する。
Ｓ４２において、印字テープ１７の逆搬送を停止する。
図３９は、印字テープ１７の先端が第２所定位置に到達している状態を示している。
【０１４８】
作成した印字テープ１７の前余白をできるだけ少なくするという観点においては、印字テープ１７の先端を、できるだけプラテンローラ８に接近させたほうが望ましい。
図４０は、印字テープ１７の先端が、プラテンローラ８に接近している状態を示している。
図４０に示す状態においては、印字テープ１７を先端部検出センサ５８側に向かって搬送させた場合に、印字テープ１７の搬送が正しく行われない可能性がある（図４１参照）。
そのため、本実施形態においては、印字テープ１７の逆搬送を、印字テープ１７の先端が第２所定位置に到達した時点で停止させている。
【０１４９】
説明を図３２に戻す。Ｓ４３において、プラテンローラ８を原点位置に移動させる。また、テープ送りサブローラ６６を原点位置に移動させる。
Ｓ４４において、印字テープ１７に対し印字動作を行うとともに、搬送ローラ対に向かって搬送させる。この搬送の動力源は、プラテンローラ８である。
図４２は、印字テープ１７に対し印字を行いつつ、印字テープ１７を搬送している様子を示している。
【０１５０】
Ｓ４５において、印字テープ１７の先端がヒータ５９の位置に到達したか否かを判断する。この判断は、プラテンローラ８の回転数に基いて算出した印字テープ１７の搬送量に基いて行われる。
【０１５１】
印字済みの印字テープ１７の先端がヒータ５９の位置に到達していないと判断した場合は（Ｓ４５：ＮＯ）、Ｓ４４に戻る。これにより、印字済みの印字テープ１７の先端がヒータ５９の位置に到着するまでの間、印字テープ１７に対する印字動作及び搬送動作が継続して行われることになる。
【０１５２】
印字済みの印字テープ１７の先端がヒータ５９の位置に到達したと判断した場合は（Ｓ４５：ＹＥＳ）、Ｓ４６に進む。
図４３は、印字済みの印字テープ１７の先端がヒータ５９の位置に到達した様子を示している。
【０１５３】
Ｓ４６において、印字テープ１７の搬送を停止する。また、ヒータ５９を位置止め部材３９側に移動させるとともに、ヒータ５９を加熱する。このとき、ヒータ５９の表面が、貼り合せテープ７４の粘着剤層を活性化させるために必要な熱量を有するまで待機する。
或いは、ヒータ５９を位置止め部材３９側に移動させる前からヒータ５９の加熱を開始し、ヒータ５９の表面が必要な熱量に達してからヒータ５９を位置止め部材３９側へ移動させてもよい。この場合は、ヒータ５９の表面が、貼り合せテープ７４の粘着剤層を活性化させるために必要な熱量を有するまで待機する必要がなくなるため、時間の短縮を図ることができる。
【０１５４】
Ｓ４７において、印字動作を行うとともに、印字テープ１７及び貼り合せテープ７４をカッタユニット５７側に向かって搬送させる。この搬送の動力源は、プラテンローラ８である。また、ヒータ５９を回転可能に構成し、ヒータ５９を動力源として併用してもよい。
【０１５５】
図４４は、印字テープ１７及び貼り合せテープ７４がカッタユニット５７側に向かって搬送されている様子を示している。また、印字テープ１７及び貼り合せテープ７４が搬送ローラ対を通過するとき、印字テープ１７には、貼り合せテープ７４が貼り合わされる（図２９参照）。また、印字テープ１７の先端がテープ送りローラ３２及びテープ送りサブローラ６６に到達した後は、テープ送りローラ３２及びテープ送りサブローラ６６についても、搬送の動力源となる。
【０１５６】
Ｓ４８において、貼り合せテープ７４が、切断位置に到達したか否かを判断する。この判断は、プラテンローラ８の回転数に基いて算出した印字テープ１７の搬送量に基いて行われる。また、テープ送りローラ３２及び／またはテープ送りサブローラ５１の回転量を併用して印字テープの搬送量を算出してもよい。
【０１５７】
この切断位置において、貼り合せテープ７４を切断することにより、作成済みの印字テープ１７における不必要な部分（すなわち、貼り合せテープ７４のみが先行している部分）が除去される。この切断位置は、図４４に示されている。
【０１５８】
貼り合せテープ７４が切断位置に到達していないと判断した場合は（Ｓ４８：ＮＯ）、Ｓ４７に戻る。これにより、貼り合せテープ７４の先端が切断位置に到着するまでの間、印字テープ１７への印字動作、及び、印字テープ１７及び貼り合せテープ７４の搬送動作が継続して行われることになる。
【０１５９】
Ｓ４８において、貼り合せテープ７４が切断位置に到達したと判断した場合は（Ｓ４８：ＹＥＳ）、Ｓ４９（図３３）に進む。
Ｓ４９において、印字テープ１７及び貼り合せテープ７４の搬送を停止する。
Ｓ５０において、貼り合せテープ７４を切断する。このとき、可動刃５７Ｂが駆動する。
図４５は、貼り合せテープ７４の先端部分が切断された様子を示している。
【０１６０】
Ｓ５１において、印字テープ１７に対して印字処理を行うとともに、印字テープ１７及び貼り合せテープ７４をカッタユニット５７側に向かって搬送させる。この搬送の動力源は、プラテンローラ及び搬送ローラ対である。
Ｓ５２において、印字が終了したか否かが判断される。印字が終了するまで、Ｓ５２の処理（すなわち、印字処理及び搬送動作）が繰り返されることになる。
【０１６１】
印字が終了したと判断した場合は（Ｓ５２：ＹＥＳ）、Ｓ５３に移行する。
Ｓ５３において、印字テープ１７及び貼り合せテープ７４をカッタユニット５７側に向かって搬送させる。この搬送の動力源は、プラテンローラ８及び搬送ローラ対である。
Ｓ５４において、印字テープ１７の後端がヒータ５９の位置に到達したか否かを判断する。この判断は、プラテンローラ８の回転数に基いて算出した印字テープ１７の搬送量に基いて行われる。また、テープ送りローラ３２及び／またはテープ送りサブローラ６６の回転量を併用して印字テープの搬送量を算出してもよい。
【０１６２】
印字テープ１７の後端がヒータ５９の位置に到達していないと判断した場合は（Ｓ５４：ＮＯ）、Ｓ５３に戻る。これにより、印字テープ１７の後端がヒータ５９の位置に到着するまでの間、印字テープ１７及び貼り合せテープ７４の搬送動作が継続して行われることになる。
【０１６３】
印字テープ１７の後端が搬送ローラ対の位置に到達したと判断した場合は（Ｓ５４：ＹＥＳ）、Ｓ５５に移行する。
【０１６４】
Ｓ５５において、ヒータ５９を離間させるとともに、ヒータ５９を非加熱にする。ヒータ５９を離間させることにより、貼り合せテープ７４の粘着剤層の温度は、活性化しない温度まで低下する。したがって、ヒータ５９の表面の温度が低下するための待機時間は必要がない。また、ヒータ５９の表面の温度を低下させるためのファンを設ける必要がない。
図４６は、印字テープ１７の後端が搬送ローラ対の位置に到達し、かつ、ヒータ５９が離間している様子を示している。
【０１６５】
Ｓ５６において、印字テープ１７及び貼り合せテープ７４をカッタユニット５７側に向かって搬送させる。この搬送の動力源は、プラテンローラ及び搬送ローラ対である。また、印字テープ１７及び貼り合せテープ７４が搬送ローラ対を通過するときに両テープは接触するが、テープ送りサブローラは非加熱状態にあるので、印字テープ１７に貼り合せテープ７４が貼り合わされることはない（図３０参照）。
【０１６６】
Ｓ５７において、印字テープ１７の後端が切断位置に到達したか否かを判断する。この判断は、プラテンローラ８の回転数に基いて算出した印字テープ１７の搬送量に基いて行われる。また、テープ送りローラ３２及び／またはテープ送りサブローラ６６の回転量を併用して印字テープの搬送量を算出してもよい。
【０１６７】
印字テープ１７の後端が切断位置に到達していないと判断した場合は（Ｓ５７：ＮＯ）、Ｓ５６に戻る。これにより、印字テープ１７の後端が切断位置に到着するまでの間、印字テープ１７及び貼り合せテープ７４の搬送動作が継続して行われることになる。
【０１６８】
印字テープ１７の後端が切断位置に到達したと判断した場合は（Ｓ５７：ＹＥＳ）、Ｓ５８に移行する。
Ｓ５８において、印字テープ１７及び貼り合せテープ７４の搬送を停止する。また、印字テープ１７及び貼り合せテープ７４を切断する。このとき、可動刃５７Ｂが駆動する。
図４７は、印字済みの印字テープ１７が切断された様子を示している。
【０１６９】
以上説明した第３実施形態によれば、カッタユニット５７近傍に位置する印字テープ１７及び貼り合せテープ７４を所定量巻き戻し、その後印字処理を開始するので、貼り合せテープ７４及び印字テープ１７の前余白部分を少なくすることができる。また、貼り合せテープ７４は第２案内路３５まで巻き戻され、また、印字テープ１７は第１案内路３４まで巻き戻されるので、その後の搬送動作を確実に行うことができる。また、貼り合せテープ７４の粘着剤層２７の熱状態を制御することにより、貼り合せテープ７４の粘着性を制御することができ、搬送ローラ対において接触する印字テープ１７及び貼り合せテープ７４の貼り合せ制御を行うことができる。また、１つのカッタユニットで本発明を実現することができる。また、ヒータ５９を予め加熱しておき、位置止め部材３９に移動した直後に粘着剤層２７の温度を上昇して活性化できるので、粘着剤層２７が活性化するまでの時間を短縮することができる。さらに、ヒータ５９が離間した直後に粘着剤層２７の温度が低下するので、粘着剤層２７を非加熱状態にするまでの時間を短縮することができる。
【０１７０】
なお、上述した第３実施形態においては、位置止め部材３９をテープカセット側に設けたが、該位置止め部材３９と同じ機能を有する部材を、印字装置側に設けるよう構成してもよい。
また、第３実施形態においてヒータ５９は貼り合せテープ７４側に接触しているが、ヒータ７４と位置止め部材３９の位置関係を逆にして、ヒータ７４が貼り合せテープ７４の反対側である印字テープ１７側に接触する構成としてもよい。
【０１７１】
本発明は上述した実施形態に限定されるものではなく、本発明の要旨を逸脱しない範囲内で種々の改良、変形が可能であることはいうまでもない。また、上述した各フローチャートは単なる一例であり、上記各処理と同等の結果を得ることできるものであれば、他のフローチャートによって処理を実現してもよい。また、上述した搬送制御処理に係る方法、該方法をコンピュータによって実行するためのプログラム、該プログラムを記憶した記録媒体としても本発明は実現可能である。
【図面の簡単な説明】
【０１７２】
【図１】第１実施形態のテープ印字装置のカセット収納部にテープカセットを装着する状態を示す要部拡大図である。
【図２】第１実施形態の印字テープカセット内部構成及びテープ印字装置の一部を模式的に示す平面図である。
【図３】第１実施形態での印字過程における印字テープ１７及びインクリボン１９の関係を示した模式図である。
【図４】ゼブラマークの一例を示した図である。
【図５】第１実施形態において、加熱状態にあるテープ送りサブローラと印字済みの印字テープ及び貼り合せテープとの関係を示した模式図である。
【図６】第１実施形態において、非加熱状態にあるテープ送りサブローラと印字済みの印字テープ及び貼り合せテープとの関係を示した模式図である。
【図７】第１実施形態における搬送制御処理のフローチャートである。
【図８】第１実施形態における搬送制御処理のフローチャートである。
【図９】第１実施形態における搬送制御処理のフローチャートである。
【図１０】第１実施形態における印字テープ及び貼り合せテープの搬送の様子を示した模式図である。
【図１１】第１実施形態における印字テープ及び貼り合せテープの搬送の様子を示した模式図である。
【図１２】第１実施形態における印字テープ及び貼り合せテープの搬送の様子を示した模式図である。
【図１３】第１実施形態における印字テープ及び貼り合せテープの搬送の様子を示した模式図である。
【図１４】第１実施形態における印字テープ及び貼り合せテープの搬送の様子を示した模式図である。
【図１５】第１実施形態における印字テープ及び貼り合せテープの搬送の様子を示した模式図である。
【図１６】第１実施形態における印字テープ及び貼り合せテープの搬送の様子を示した模式図である。
【図１７】第１実施形態における印字テープ及び貼り合せテープの搬送の様子を示した模式図である。
【図１８】第１実施形態における印字テープ及び貼り合せテープの搬送の様子を示した模式図である。
【図１９】第１実施形態における印字テープ及び貼り合せテープの搬送の様子を示した模式図である。
【図２０】第１実施形態における印字テープ及び貼り合せテープの搬送の様子を示した模式図である。
【図２１】第１実施形態における印字テープ及び貼り合せテープの搬送の様子を示した模式図である。
【図２２】第１実施形態における印字テープ及び貼り合せテープの搬送の様子を示した模式図である。
【図２３】第１実施形態における印字テープ及び貼り合せテープの搬送の様子を示した模式図である。
【図２４】第２実施形態のテープ印字装置のカセット収納部にテープカセットを装着する状態を示す要部拡大図である。
【図２５】第２実施形態の印字テープカセット内部構成及びテープ印字装置の一部を模式的に示す平面図である。
【図２６】第２実施形態において、加熱状態にあるテープ送りサブローラと印字済みの印字テープ及び貼り合せテープとの関係を示した模式図である。
【図２７】第２実施形態において、非加熱状態にあるテープ送りサブローラと印字済みの印字テープ及び貼り合せテープとの関係を示した模式図である。
【図２８】第３実施形態の印字テープカセット内部構成及びテープ印字装置の一部を模式的に示す平面図である。
【図２９】第３実施形態において、加熱状態にあるヒータと印字済みの印字テープ及び貼り合せテープとの関係を示した模式図である。
【図３０】第３実施形態において、非加熱状態にあるヒータと印字済みの印字テープ及び貼り合せテープとの関係を示した模式図である。
【図３１】第３実施形態における搬送制御処理のフローチャートである。
【図３２】第３実施形態における搬送制御処理のフローチャートである。
【図３３】第３実施形態における搬送制御処理のフローチャートである。
【図３４】第３実施形態における印字テープ及び貼り合せテープの搬送の様子を示した模式図である。
【図３５】第３実施形態における印字テープ及び貼り合せテープの搬送の様子を示した模式図である。
【図３６】第３実施形態における印字テープ及び貼り合せテープの搬送の様子を示した模式図である。
【図３７】第３実施形態における印字テープ及び貼り合せテープの搬送の様子を示した模式図である。
【図３８】第３実施形態における印字テープ及び貼り合せテープの搬送の様子を示した模式図である。
【図３９】第３実施形態における印字テープ及び貼り合せテープの搬送の様子を示した模式図である。
【図４０】第３実施形態における印字テープ及び貼り合せテープの搬送の様子を示した模式図である。
【図４１】第３実施形態における印字テープ及び貼り合せテープの搬送の様子を示した模式図である。
【図４２】第３実施形態における印字テープ及び貼り合せテープの搬送の様子を示した模式図である。
【図４３】第３実施形態における印字テープ及び貼り合せテープの搬送の様子を示した模式図である。
【図４４】第３実施形態における印字テープ及び貼り合せテープの搬送の様子を示した模式図である。
【図４５】第３実施形態における印字テープ及び貼り合せテープの搬送の様子を示した模式図である。
【図４６】第３実施形態における印字テープ及び貼り合せテープの搬送の様子を示した模式図である。
【図４７】第３実施形態における印字テープ及び貼り合せテープの搬送の様子を示した模式図である。
【符号の説明】
【０１７３】
２      上ケース
３      下ケース
１７      印字テープ
１９      インクリボン
２７      粘着剤層
３２      テープ送りローラ
３５      第２案内路
５９      ヒータ
６２        テープ送りローラ
７４      貼り合せテープ
１００      テープカセット
２００      テープカセット
【図１】
2011101950.tif 000003
【図２】
2011101950.tif 000004
【図３】
2011101950.tif 000005
【図４】
2011101950.tif 000006
【図５】
2011101950.tif 000007
【図６】
2011101950.tif 000008
【図７】
2011101950.tif 000009
【図８】
2011101950.tif 000010
【図９】
2011101950.tif 000011
【図１０】
2011101950.tif 000012
【図１１】
2011101950.tif 000013
【図１２】
2011101950.tif 000014
【図１３】
2011101950.tif 000015
【図１４】
2011101950.tif 000016
【図１５】
2011101950.tif 000017
【図１６】
2011101950.tif 000018
【図１７】
2011101950.tif 000019
【図１８】
2011101950.tif 000020
【図１９】
2011101950.tif 000021
【図２０】
2011101950.tif 000022
【図２１】
2011101950.tif 000023
【図２２】
2011101950.tif 000024
【図２３】
2011101950.tif 000025
【図２４】
2011101950.tif 000026
【図２５】
2011101950.tif 000027
【図２６】
2011101950.tif 000028
【図２７】
2011101950.tif 000029
【図２８】
2011101950.tif 000030
【図２９】
2011101950.tif 000031
【図３０】
2011101950.tif 000032
【図３１】
2011101950.tif 000033
【図３２】
2011101950.tif 000034
【図３３】
2011101950.tif 000035
【図３４】
2011101950.tif 000036
【図３５】
2011101950.tif 000037
【図３６】
2011101950.tif 000038
【図３７】
2011101950.tif 000039
【図３８】
2011101950.tif 000040
【図３９】
2011101950.tif 000041
【図４０】
2011101950.tif 000042
【図４１】
2011101950.tif 000043
【図４２】
2011101950.tif 000044
【図４３】
2011101950.tif 000045
【図４４】
2011101950.tif 000046
【図４５】
2011101950.tif 000047
【図４６】
2011101950.tif 000048
【図４７】
2011101950.tif 000049